(57)【要約】【課題】フレキシブルケーブルの組み付け性を向上させることができる遊技台を提供する。【解決手段】遊技台の所定位置に取付けられる基板と、前記基板に設けられたコネクタと、前記コネクタに接続されるフレキシブルケーブルと、前記フレキシブルケーブルを前記コネクタへ案内する挿抜補助部と、を備え、前記挿抜補助部は、前記コネクタ近傍の前記挿抜補助部の一端部が前記挿抜補助部の他端部よりも前記基板側に位置する形状を有する構成を採用する。【選択図】図１１
2010104474.tif 000002
【特許請求の範囲】
【請求項１】
遊技台の所定位置に取付けられる基板と、
前記基板に設けられたコネクタと、
前記コネクタに接続されるフレキシブルケーブルと、
前記フレキシブルケーブルを前記コネクタへ案内する挿抜補助部と、を備え、
前記挿抜補助部は、前記コネクタ近傍の前記挿抜補助部の一端部が前記挿抜補助部の他端部よりも前記基板側に位置する形状を有することを特徴とする遊技台。
【請求項２】
前記コネクタは前記フレキシブルケーブルを挿抜可能なケーブル挿入部を備え、前記挿抜補助部の前記一端部と前記コネクタの前記ケーブル挿入部とが略等しい面上に位置することを特徴とする請求項１記載の遊技台。
【請求項３】
遊技の進行に応じて動作する遊技装置と、前記遊技装置の少なくとも一部を覆うカバー部材を備え、前記カバー部材は前記挿抜補助部を有することを特徴とする請求項１または請求項２記載の遊技台。
【請求項４】
前記遊技装置は前記基板を有し、前記カバー部材は前記フレキシブルケーブルを通すための開口部を有し、前記挿抜補助部の一端部が前記開口部に面して設けられることを特徴とする請求項３記載の遊技台。
【請求項５】
前記フレキシブルケーブルを挟む位置と挟まない位置とに変化可能なケーブル挟持部を前記コネクタに備え、前記ケーブル挟持部が前記開口部から前記カバー部材外部に露出していることを特徴とする請求項４記載の遊技台。
【請求項６】
前記挿抜補助部と前記コネクタとが僅かに離間していることを特徴とする請求項１乃至請求項５の何れか１項に記載の遊技台。
【請求項７】
前記挿抜補助部は、前記一端部と前記他端部を結ぶ線とほぼ直交する側方への前記フレキシブルケーブルの動きを規制する側壁部を有することを特徴とする請求項１乃至請求項６の何れか１項に記載の遊技台。
【請求項８】
前記コネクタは、前記ケーブル挿入部に対する前記フレキシブルケーブルの挿入方向が前記基板とほぼ平行となるよう前記基板に設けられていることを特徴とする請求項２乃至請求項７の何れか１項に記載の遊技台。
【請求項９】
前記挿抜補助部の前記一端部と前記他端部の間の面がほぼ円弧状であることを特徴とする請求項１乃至請求項８の何れか１項に記載の遊技台。
【請求項１０】
前記挿抜補助部の前記他端部は、前記基板の前記コネクタが設けられた面よりも上方に位置し、前記挿抜補助部の前記一端部と前記他端部の間の面が前記挿抜補助部の前記一端部と前記他端部を結ぶ直線よりも下側であることを特徴とする請求項９記載の遊技台。
【発明の詳細な説明】
【技術分野】
【０００１】
本発明は、パチンコ機やスロットマシンなどに代表される遊技台に関する。
【背景技術】
【０００２】
従来より、内部の内部回路どうしを接続するコネクタ間の接続にフレキシブルケーブルを使用する遊技台が知られている（例えば下記の特許文献１）。
【０００３】
【特許文献１】特開２００７−８９８６７号公報
【発明の開示】
【発明が解決しようとする課題】
【０００４】
しかし、上記のような従来構成では、フレキシブルケーブルは薄いため、コネクタに挿入し難いという問題があった。また、フレキシブルケーブルに力が加えられたときに移動して周辺部材の凹凸部に接触するなどして破損してしまう虞れがあった。
【０００５】
本発明は、このような従来の問題点を解決するためになされたものであって、フレキシブルケーブルの組み付け性を向上させることができる遊技台を提供することを目的とする。
【課題を解決するための手段】
【０００６】
上記課題を解決するため、本発明においては、遊技台の所定位置に取付けられる基板と、前記基板に設けられたコネクタと、前記コネクタに接続されるフレキシブルケーブルと、前記フレキシブルケーブルを前記コネクタへ案内する挿抜補助部と、を備え、前記挿抜補助部は、前記コネクタ近傍の前記挿抜補助部の一端部が前記挿抜補助部の他端部よりも前記基板側に位置する形状を有する構成を採用した。
【発明の効果】
【０００７】
上記構成により、フレキシブルケーブルの組み付け性を向上させることができる優れた遊技台を提供することができる。
【発明を実施するための最良の形態】
【０００８】
以下、図面を用いて、本発明の実施例１に係るパチンコ機（遊技台）について詳細に説明する。
【実施例１】
【０００９】
＜全体構成＞
まず、図１を用いて、本発明の実施例１に係るパチンコ機１００の全体構成について説明する。なお、同図はパチンコ機１００を正面側（遊技者側）から見た外観斜視図である。
【００１０】
パチンコ機１００は、ガラス製または樹脂製の透明板部材１５２および透明部材保持枠１５３からなる扉部材１５６の奥側にガラスを通して視認可能に配設した後述する遊技盤(盤面)１０２を備えている。
【００１１】
扉部材１５６の下方には、後述する発射モータ６０２によって回動する発射杆１３８と、この発射杆１３８の先端部に取り付けて球を後述する遊技領域１０４に向けて打ち出す発射槌１４０と、この発射槌１４０によって打ち出す球を後述する外レール１０６に導くための発射レール１４２と、球を一時的に貯留すると共に、貯留している球を順次、発射レール１４２に供給するための貯留皿１４４と、遊技者による押下操作が可能であり、所定の時期にその操作を検出した場合に後述する装飾図柄表示装置１１０等による演出表示を変化させるためのチャンスボタン１４６を配設している。
【００１２】
また、発射杆１３８および発射槌１４０の下方には、発射杆１３８を制御して遊技領域１０４に向けて球の発射強度の操作を行うための操作ハンドル１４８を配設していると共に、貯留皿１４４の下方には、貯留皿１４４に貯留できない溢れ球を貯留するための下皿１５０を設けている。
【００１３】
図２は、図１のパチンコ機１００を背面側から見た外観図である。
【００１４】
パチンコ機１００の背面上部には、上方に開口した開口部を有し、球を一時的に貯留するための球タンク１５２と、この球タンク１５２の下方に位置し、球タンク１５２の底部に形成した連通孔を通過して落下する球を背面右側に位置する払出装置１５４（後述の払出制御部５５０に対応）に導くためのタンクレールとを配設している。
【００１５】
払出装置１５４は、筒状の部材からなり、その内部には、スプロケット１５７と払出センサ１５８とを備えている。
【００１６】
スプロケット１５７は、モータによって回転可能に構成されており、タンクレール１５３を通過して払出装置１５４内に落下した球を一時的に滞留させると共に、モータを駆動して所定角度だけ回転することにより、一時的に滞留した球を払出装置１５４の下方へ１個ずつ送り出すように構成している。
【００１７】
払出センサ１５８は、スプロケット１５７が送り出した球の通過を検知するためのセンサであり、球が通過しているときにオンの信号を出力し、球が通過していないときはオフの信号を出力する。なお、この払出センサ１５８を通過した球は、図示しない球レールを通過してパチンコ機１００の表側に配設した貯留皿１４４に到達するように構成しており、パチンコ機１００は、この構成により遊技者に対して球の払い出しを行う。
【００１８】
払出装置１５４の図中左側には、後述する主制御部３００を構成する主基板１６１、後述する第１副制御部４００を構成するサブ基板１６４、および第２副制御部５００を構成するサブ基板１６４ａとを配設している。
【００１９】
２つのサブ基板１６４、１６４ａは、前方（図２の奥側）に配設した後述する表示ユニットカバー８０１の背面に塔載している。また、この表示ユニットカバー８０１内部に装飾図柄表示装置１１０を含む表示ユニット（９０１）が配置される。サブ基板１６４と、表示ユニット（９０１）はフレキシブルケーブル８０２によって接続される。フレキシブルケーブル８０２の実装構造については後でより詳しく説明する。
【００２０】
また、これら主基板１６１やサブ基板１６４の下方には、後述する発射制御部６００を構成する発射基板１６６と、後述する電源管理部６５０を構成する電源基板１６２と、後述する払出制御部５５０を構成する払出基板１６５と、この払出基板１６５に接続したＣＲインターフェース部１６３とを配設している。
【００２１】
図３は、図１のパチンコ機１００の遊技盤１０２の構成例を示している。図３は遊技盤１０２を正面から見た略示正面図である。
【００２２】
図３に示すように、遊技盤１０２には、外レール１０６と内レール１０８とを配設し、遊技球（以下、単に「球」と称する場合がある。）が転動可能な遊技領域１０４を区画形成している。
【００２３】
遊技領域１０４の略中央には、演出装置２００を配設している。この演出装置２００には、略中央に横長の装飾図柄表示装置１１０を配設し、その周囲に、普通図柄表示装置１１２と、特別図柄表示装置１１４と、普通図柄保留ランプ１１６と、特別図柄保留ランプ１１８と、高確中ランプ１２０を配設している。なお、以下、普通図柄を「普図」、特別図柄を「特図」と称する場合がある。
【００２４】
演出装置２００は、可動部を動作して演出を行うものであり、詳細については後述する。
【００２５】
装飾図柄表示装置１１０は、装飾図柄ならびに演出に用いる様々な画像を表示するための表示装置であり、本実施例では液晶表示装置（Ｌｉｑｕｉｄ  Ｃｒｙｓｔａｌ  Ｄｉｓｐｌａｙ）によって構成する。この装飾図柄表示装置１１０は、左図柄表示領域１１０ａ、中図柄表示領域１１０ｂ、右図柄表示領域１１０ｃおよび演出表示領域１１０ｄの４つの表示領域に分割し、左図柄表示領域１１０ａ、中図柄表示領域１１０ｂおよび左図柄表示領域１１０ｃはそれぞれ異なった装飾図柄を表示し、演出表示領域１１０ｄは演出に用いる画像を表示する。さらに、各表示領域１１０ａ、１１０ｂ、１１０ｃ、１１０ｄの位置や大きさは、装飾図柄表示装置１１０の表示画面内で自由に変更することを可能としている。なお、本実施例では装飾図柄表示装置１１０として液晶表示装置を採用しているが、液晶表示装置でなくとも、種々の演出画像や種々の遊技情報を表示可能に構成されていればよく、例えば、ドットマトリクス表示装置、７セグメント表示装置、有機ＥＬ（ＥｌｅｃｔｒｏＬｕｍｉｎｅｓｃｅｎｃｅ）表示装置、リール（ドラム）式表示装置、リーフ式表示装置、プラズマディスプレイ、プロジェクタを含む他の表示デバイスを採用してもよい。
【００２６】
普図表示装置１１２は、普図の表示を行うための表示装置であり、本実施例では７セグメントＬＥＤによって構成する。特図表示装置１１４は、特図の表示を行うための表示装置であり、本実施例では７セグメントＬＥＤによって構成する。
【００２７】
普図保留ランプ１１６は、保留している普図変動遊技（詳細は後述）の数を示すためのランプであり、本実施例では、普図変動遊技を２つまで保留することを可能としている。特図保留ランプ１１８は、保留している特図変動遊技（詳細は後述）の数を示すためのランプであり、本実施例では、特図変動遊技を４つまで保留することを可能としている。高確中ランプ１２０は、遊技状態が高確率状態であること、または高確率状態になることを示すためのランプであり、遊技状態を低確率状態から高確率状態にする場合に点灯し、高確率状態から低確率状態にする場合に消灯する。
【００２８】
また、この演出装置２００の周囲には、一般入賞口１２２と、普図始動口１２４と、第１特図始動口１２６と、第２特図始動口１２８と、可変入賞口１３０を配設している。
【００２９】
一般入賞口１２２は、本実施例では遊技盤１０２に複数配設しており、この一般入賞口１２２への入球を所定の球検出センサ（図示省略）が検出した場合（一般入賞口１２２に入賞した場合）、後述する払出装置５５０（１５４）を駆動し、所定の個数（本実施例では１０個）の球を賞球として後述する貯留皿１４４に排出する。貯留皿１４４に排出した球は遊技者が自由に取り出すことが可能であり、これらの構成により、入賞に基づいて賞球を遊技者に払い出すようにしている。なお、一般入賞口１２２に入球した球は、パチンコ機１００の裏側に誘導した後、遊技島側に排出する。本実施例では、入賞の対価として遊技者に払い出す球を「賞球」、遊技者に貸し出す球を「貸球」と区別して呼ぶ場合があり、「賞球」と「貸球」を総称して「球（遊技球）」と呼ぶ。
【００３０】
普図始動口１２４は、ゲートやスルーチャッカーと呼ばれる、遊技領域の所定の領域を球が通過したか否かを判定するための装置で構成しており、本実施例では遊技盤１０２の左側に１つ配設している。普図始動口１２４を通過した球は一般入賞口１２２に入球した球と違って、遊技島側に排出することはない。球が普図始動口１２４を通過したことを所定の玉検出センサが検出した場合、パチンコ機１００は、普図表示装置１１２による普図変動遊技を開始する。
【００３１】
第１特図始動口１２６は、本実施例では遊技盤１０２の中央に１つだけ配設している。この第１特図始動口１２６への入球を所定の球検出センサが検出した場合、後述する払出装置５５０を駆動し、所定の個数（本実施例では３個）の球を賞球として後述する貯留皿１４４に排出するとともに、特図表示装置１１４による特図変動遊技を開始する。なお、第１特図始動口１２６に入球した球は、パチンコ機１００の裏側に誘導した後、遊技島側に排出する。
【００３２】
第２特図始動口１２８は、電動チューリップ（電チュー）と呼ばれ、本実施例では第１特図始動口１２６の真下に１つだけ配設している。この第２特図始動口１２８は、左右に開閉自在な羽根を備え、羽根の閉鎖中は球の入球が不可能であり、普図変動遊技に当選し、普図表示装置１１２が当たり図柄を停止表示した場合に羽根が所定の時間間隔、所定の回数で開閉する。第２特図始動口１２８への入球を所定の球検出センサが検出した場合、後述する払出装置５５０を駆動し、所定の個数（本実施例では５個）の球を賞球として後述する貯留皿１４４に排出するとともに、特図表示装置１１４による特図変動遊技を開始する。なお、第２特図始動口１２８に入球した球は、パチンコ機１００の裏側に誘導した後、遊技島側に排出する。
【００３３】
可変入賞口１３０は、大入賞口またはアタッカーと呼ばれ、本実施例では遊技盤１０２の中央部下方に１つだけ配設している。この可変入賞口１３０は、開閉自在な扉部材を備え、扉部材の閉鎖中は球の入球が不可能であり、特図変動遊技に当選し、特図表示装置１１４が大当たり図柄を停止表示した場合に扉部材が所定の時間間隔（例えば、開放時間２９秒、閉鎖時間１．５秒）、所定の回数（例えば１５回）で開閉する。可変入賞口１３０への入球を所定の球検出センサが検出した場合、後述する払出装置５５０を駆動し、所定の個数（本実施例では１５球）の球を賞球として後述する貯留皿１４４に排出する。なお、可変入賞口１３０に入球した球は、パチンコ機１００の裏側に誘導した後、遊技島側に排出する。
【００３４】
さらに、これらの入賞口や始動口の近傍には、風車と呼ばれる円盤状の打球方向変換部材１３２や、遊技釘１３４を複数個、配設していると共に、内レール１０８の最下部には、いずれの入賞口や始動口にも入賞しなかった球をパチンコ機１００の裏側に誘導した後、遊技島側に排出するためのアウト口１３６を設けている。
【００３５】
このパチンコ機１００は、遊技者が貯留皿１４４に貯留している球を発射レール１４２の発射位置に供給し、遊技者の操作ハンドル１４８の操作量に応じた強度で発射モータ６０２を駆動し、発射杆１３８および発射槌１４０によって外レール１０６、内レール１０８を通過させて遊技領域１０４に打ち出す。そして、遊技領域１０４の上部に到達した球は、打球方向変換部材１３２や遊技釘１３４等によって進行方向を変えながら下方に落下し、入賞口（一般入賞口１２２、可変入賞口１３０）や始動口（第１特図始動口１２６、第２特図始動口１２８）に入賞するか、いずれの入賞口や始動口にも入賞することなく、または普図始動口１２４を通過するのみでアウト口１３６に到達する。
【００３６】
＜演出装置＞
次に、図３のパチンコ機１００の演出装置２００について説明する。
【００３７】
この演出装置２００の前面側には、ワープ装置２３０およびステージを配設し、演出装置２００の背面側には、装飾図柄表示装置１１０および遮蔽手段２５０を配設している。すなわち、演出装置２００において、装飾図柄表示装置１１０および遮蔽手段２５０は、ワープ装置２３０およびステージの後方に位置することとなる。
【００３８】
ワープ装置２３０は、演出装置２００の左上方に設けた入球口２３２に入った遊技球を演出装置２００の前面下方の前面ステージ２３４に排出し、さらに、前面ステージ２３４に排出した遊技球が前面ステージ２３４の中央部後方に設けた第２の入球口２３６に入った場合は、遊技球を、第１特図始動口１２６の上方である演出装置２００の下部中央に設けた排出口２３８から第１特図始動口１２６に向けて排出するものである。この排出口２３８から排出した遊技球は特図始動口１２６に入球しやすくなっている。
【００３９】
遮蔽手段２５０は、格子状の左扉２５０ａおよび右扉２５０ｂからなり、装飾図柄表示装置１１０および前面ステージ２３４の間に配設する。左扉２５０ａおよび右扉２５０ｂの上部には、図示しない２つのプーリに巻き回したベルトをそれぞれ固定している。すなわち、左扉２５０ａおよび右扉２５０ｂは、モータによりプーリを介して駆動するベルトの動作に伴って左右にそれぞれ移動する。遮蔽手段２５０は、左右扉２５０ａ、２５０ｂを閉じた状態ではそれぞれの内側端部が重なり、遊技者が装飾図柄表示装置１１０を視認し難いように遮蔽する。左右扉２５０ａ、２５０ｂを開いた状態ではそれぞれの内側端部が装飾図柄表示装置１１０の表示画面の外側端部と若干重なるが、遊技者は装飾図柄表示装置１１０の表示の全てを視認可能である。また、左右扉２５０ａ、２５０ｂは、それぞれ任意の位置で停止可能であり、例えば、表示した装飾図柄がどの装飾図柄であるかを遊技者が識別可能な程度に、装飾図柄の一部だけを遮蔽するようなことができる。なお、左右扉２５０ａ、２５０ｂは、格子の孔から後方の装飾図柄表示装置１１０の一部を視認可能にしてもよいし、格子の孔の障子部分を半透明のレンズ体で塞ぎ、後方の装飾図柄表示装置１１０による表示を漠然と遊技者に視認させるようにしてもよいし、格子の孔の障子部分を完全に塞ぎ（遮蔽し）、後方の装飾図柄表示装置１１０を全く視認不可にしてもよい。
【００４０】
＜制御部＞
次に、図４および図５を用いて、このパチンコ機１００の制御部の回路構成について詳細に説明する。なお、図４は主制御部、払出制御部、発射制御部、および電源管理部の回路ブロック図を示したものであり、図５は主に演出制御を行う副制御部の回路ブロック図を示したものである。
【００４１】
パチンコ機１００の制御部は、大別すると、遊技の中枢部分を制御する主制御部３００と、主制御部３００が送信するコマンド信号（以下、単にコマンドと呼ぶ）に応じて、主に演出の制御を行う副制御部４００と、遊技球の払い出しに関する制御を行う払出制御部５５０と、遊技球の発射制御を行う発射制御部４５０と、パチンコ機１００に供給される電源をパチンコ機１００に搭載した電気部品に送電するための所定の電力を生成する電源管理部６５０によって構成している。
【００４２】
＜主制御部＞
まず、パチンコ機１００の主制御部３００について説明する。
【００４３】
主制御部３００は、主制御部３００の全体を制御する基本回路３０２を備えており、この基本回路３０２には、ＣＰＵ３０４と、ＣＰＵの遊技制御内容を記述した制御プログラムや各種データを記憶するためのＲＯＭ３０６と、一時的にデータを記憶するためのＲＡＭ３０８と、各種デバイスの入出力を制御するためのＩ／Ｏ３１０と、時間や回数などを計測するためのカウンタタイマ３１２と、ＣＰＵ３０４の動作を監視して、基本回路３０２が出力する制御信号を所定時間（本実施例では３２．８ｍｓ）受信しなかった場合に制御回路３０２に初期化信号を送信するためのウォッチドッグタイマ（ＷＤＴ）３１３と、を搭載している。
【００４４】
主制御部３００のＣＰＵ３０４の各部、特に基本回路３０２と周辺デバイス、あるいは後述の払出制御部５５０、副制御部４００などとの間の接続には、システムバス（アドレスバス／データバス）と接続した出力ドライバＩＣ・コネクタなどが用いられる。
【００４５】
なお、上記のＲＯＭ３０６やＲＡＭ３０８については他の記憶手段を用いてもよく、この点は後述する副制御部４００や払出制御部５５０についても同様である。この基本回路３０２のＣＰＵ３０４は、水晶発信器３１４ｂが出力する所定周期のクロック信号をシステムクロックとして入力して動作する。
【００４６】
また、主制御部３００には、水晶発信器３１４ａが出力するクロック信号を受信する度に０〜６５５３５の範囲で数値を変動させるハードウェア乱数カウンタとして使用するカウンタ回路３１６（この回路には、第１、第２の特図始動口への入賞をそれぞれ後述のように処理するための２つのカウンタ回路を内蔵しているものとする）と、ガラス枠１５１の開放／閉鎖を検出するガラス枠開放センサ、前枠の開放／閉鎖を検出する前枠開放センサ、下皿１５０が球で一杯になったことを検出する下皿満タンセンサ、各種入賞口の入賞球の通過を検知する球検知手段などを含む各種センサ３１８が出力する所定信号を受信し、増幅結果や基準電圧との比較結果をカウンタ回路３１６および基本回路３０２に出力するためのセンサ回路３２０と、特図表示装置１１４の表示制御を行うための表示回路３２２と、普図表示装置１１２の表示制御を行うための表示回路３２４と、各種状態表示部３２６（普図保留ランプ１１６、特図保留ランプ１１８、高確中ランプ１１８など）の表示制御を行うための表示回路３２８と、第２特別始動口１２８や可変入賞口１３０などを開閉駆動する各種ソレノイド３３０を制御するためのソレノイド回路３３２を設けている。
【００４７】
なお、上記各種センサ３１８の各種入賞口の入賞球の通過を検知する球検知手段には、普図始動口１２４の入賞球の通過を検知する入賞球検知センサ、第１特図始動口１２６の入賞球の通過を検知する第１特図始動口入賞球検知センサ、第２特図始動口１２８の入賞球の通過を検知する第２特図始動口入賞球検知センサ、可変入賞口１３０への入賞球の通過を検知する可変入賞口入賞球検知センサ、および一般入賞口１２２への入賞球の通過を検知する一般入賞口入賞球検知センサ、などが含まれる。主制御部３００は、入賞球センサの検知情報を含む所定信号を受信したこと基づいて、所定の入賞口を遊技者に有利な状態にするか否かを決定する。
【００４８】
さらに、主制御部３００には、情報出力回路３３４を設けており、主制御部３００は、この情報出力回路３３４を介して、外部のホールコンピュータ（図示省略）などが備える情報入力回路６５２にパチンコ機１００の遊技情報（例えば、遊技状態）を出力する。
【００４９】
また、主制御部３００には、電源管理部６５０から主制御部３００に供給している電源の電圧値を監視する電圧監視回路３３６を設けており、この電圧監視回路３３６は、電源の電圧値が所定の値（本実施例では９ｖ）未満である場合に電圧が低下したことを示す低電圧信号を基本回路３０２に出力する。
【００５０】
また、主制御部３００には、電源が投入されると起動信号（リセット信号）を出力する起動信号出力回路（リセット信号出力回路）３３８を設けており、ＣＰＵ３０４は、この起動信号出力回路３３８から起動信号を入力した場合に、遊技制御を開始する（後述する主制御部リセット割り込み処理を開始する）。ここでは起動信号送信回路３３８に供給される電力の電圧値が所定の値を超えた場合に、基本回路３０２に起動信号を出力するようにしている。基本回路３０２など電気部品・電気回路が充分に動作できるだけの電力が該基本回路３０２に供給されている場合に、起動信号送信回路３３８に供給される電力の電圧値が所定の値を超えるように主制御部３００の回路を構成している。
【００５１】
また、主制御部３００には、後述の副制御部４００にコマンドを送信するための出力インターフェイスと、払出制御部５５０にコマンドを送信するための出力インターフェイスをそれぞれ設けており、副制御部４００には、主制御部３００からコマンドを受信するための入力インターフェイスを設け、払出制御部５５０には、主制御部３００からコマンドを受信するための入力インターフェイスを設けている。この構成により、主制御部３００と、副制御部４００および払出制御部５５０との通信を可能としている。なお、主制御部３００と副制御部４００および払出制御部５５０との情報通信は一方向の通信であり、主制御部３００は副制御部４００および払出制御部５５０にコマンドなどの信号を送信できるが、副制御部４００および払出制御部５５０からは主制御部３００にコマンドなどの信号を送信できないように構成している。
【００５２】
主制御部３００と副制御部４００の間の一方向の通信はＩ／Ｏ３１０から副制御部４００のＩ／Ｏ４１０（後述）に信号を送信することにより行うことができる。主制御部３００と払出制御部５５０の間の一方向の通信はＩ／Ｏ３１０から払出制御部５５０のＩ／Ｏ７１０に信号を送信することにより行うことができる。
【００５３】
＜払出制御部＞
次に、パチンコ機１００の払出制御部５５０について説明する。
【００５４】
払出制御部５５０は、払出制御部５５０の全体を制御する基本回路７０２を備えており、この基本回路７０２には、ＣＰＵ７０４と、制御プログラムや各種データを記憶するためのＲＯＭ７０６と、一時的にデータを記憶するためのＲＡＭ７０８と、各種デバイスの入出力を制御するためのＩ／Ｏ７１０と、時間や回数などを計測するためのカウンタタイマ７１２を搭載している。この基本回路７０２のＣＰＵ７０４は、水晶発信器７１４が出力する所定周期のクロック信号をシステムクロックとして入力して動作する。
【００５５】
また、基本回路７０２には、払出装置１５４に設けた払出センサ１５８などを含む各種センサ７２８が出力する信号を受信するためのセンサ回路７２０と、各種ランプ７３０の表示制御を行うための表示回路７２２と、払出装置１５４に設けたスプロケットを回転駆動するためのモータ制御回路７２４と、を接続している。
【００５６】
さらに、払出制御部５５０には、ＣＲインターフェース部５５６を接続しており、払出制御部５５０は、このＣＲインターフェイス部５５６を介して、パチンコ機１００とは別体で設けられたカードユニット６５４との通信を行うと共に、球貸し操作部４０７から入力する操作信号を検出する。
【００５７】
また、払出制御部５５０には、電源管理部６５０から払出制御部５５０に供給している電源の電圧値を監視する電圧監視回路７２６を設けており、この電圧監視回路７２６は、電源の電圧値が所定の値（本実施例では９ｖ）未満である場合に電圧が低下したことを示す低電圧信号を基本回路７０２に出力する。
【００５８】
また、払出制御部５５０には、電源が投入されると起動信号（リセット信号）を出力する、図示しない起動信号出力回路（リセット信号出力回路）を設けており、ＣＰＵ７０４は、この起動信号出力回路から起動信号を入力した場合に、払出制御を開始する。
【００５９】
＜発射制御部、電源管理部＞
次に、パチンコ機１００の発射制御部６００、電源管理部６５０について説明する。
【００６０】
発射制御部６００は、払出制御部５５０が出力する、発射許可または停止を指示する制御信号や、操作ハンドル１４８内に設けた発射強度出力回路が出力する、遊技者による発射ハンドル１４８の操作量に応じた発射強度を指示する制御信号に基づいて、発射杆１３８および発射槌１４０を駆動する発射モータ６０２の制御や、貯留皿１４４から発射レール１４２に球を供給する球送り装置６０４の制御を行う。
【００６１】
電源管理部６５０は、パチンコ機１００に外部から供給される交流電源を直流化し、所定の電圧に変換して主制御部３００、払出制御部５５０などの各制御部や払出装置１５４などの各装置に供給する。さらに、電源管理部６５０は、外部からの電源が断たれた後も所定の部品（例えば主制御部３００のＲＡＭ３０８など）に所定の期間（例えば１０日間）電力を供給するための蓄電装置（例えばコンデンサ）と、この蓄電装置よりも静電容量が小さく、所定の部品（例えば主制御部３００の基本回路３０２全体）に供給している電力が、静電気ノイズ、人的なミス、遊技台に供給される電力の低下などが原因で変動し、低下している場合に、ある程度の電力を補うための蓄電装置（例えばコンデンサ）をさらに備えている。この蓄電装置により、所定の部品（例えば主制御部３００）に供給される電力が電断時、復電時などに不安定になっても、ある程度安定してその所定の部品は動作できるように構成している。
【００６２】
＜副制御部＞
次に、図５を用いて、図２のサブ基板１６４、１６４ａにそれぞれ実装されるパチンコ機１００の第１副制御部４００および第２副制御部５００について説明する。第１副制御部４００は、主に装飾図柄表示装置１１０の表示制御を介して遊技台の演出制御を行うもの、第２副制御部５００は、主に演出用駆動装置やランプ類の制御を行うものである。第１副制御部４００と第２副制御部５００は、第１副制御部４００の行う演出制御に応じてＩ／Ｏ４１０およびＩ／Ｏ５１０を介して相互に通信を行う。
【００６３】
第１副制御部４００は、主に主制御部３００が送信したコマンドなどに応じて、Ｐ−ＲＯＭ４０６に格納された制御プログラムや各種データに基づき第１副制御部４００の全体を制御する基本回路４０２を備えており、この基本回路４０２には、ＣＰＵ４０４と、一時的にデータを記憶するためのＲＡＭ４０８と、各種デバイスの入出力を制御するためのＩ／Ｏ４１０と、時間や回数などを計測するためのカウンタタイマ４１２を搭載している。この基本回路４０２のＣＰＵ４０４は、水晶発信器４１４が出力する所定周期のクロック信号をシステムクロックとして入力して動作する。
【００６４】
第１副制御部４００のＣＰＵ４０４は、第１副制御部４００から送信された各種制御データを入力Ｉ／Ｏ４１０を介して受信し、受信したコマンドの内容に応じて各種演算処理を行い装飾図柄表示装置１１０の表示を制御する。ＣＰＵ４０４には、さらに、不図示のバスを介して、Ｐ−ＲＯＭ４０６、ＲＡＭ４０８、ＶＤＰ（ビデオ・ディスプレイ・プロセッサ）４３１、ＶＲＡＭ４３３が接続されている。Ｐ−ＲＯＭ４０６は、第１副制御部４００全体を制御するためのプログラムや演出用のデータ等を記憶する記憶手段の１つである。ＲＡＭ４０８は、ＣＰＵ４０４で処理されるプログラムのワークエリアを有し、演出用のデータ等を一時的に記憶する記憶手段の１つである。ＶＤＰ４３１は、装飾図柄表示装置１１０に表示する画像を生成するプロセッサ（ＧＰＵ、ビデオチップ等とも言う）である。ＶＲＡＭ４３３は、装飾図柄表示装置１１０に出力する画像を生成するためのワークエリアが設定された記憶手段の１つである。
【００６５】
ＶＤＰ４３１には、ＶＲＡＭ４３３が接続されると共に、不図示のスケーラおよびトランスミッタを介して、装飾図柄表示装置１１０が接続される。スケーラは、ＶＤＰ４３１が生成した画像を装飾図柄表示装置１１０の画素数に合わせて拡大するものであり、トランスミッタは、デジタル画像データをアナログ信号のＲ（赤）信号、Ｇ（緑）信号、Ｂ（青）信号に変換して装飾図柄表示装置１１０に出力するものである。なお、装飾図柄表示装置１１０には、ＣＰＵ４０４によって装飾図柄表示装置１１０の表示画面の輝度調整を可能とするための輝度調整信号が入力されている。
【００６６】
ＶＲＡＭ４３３は２つのフレームバッファを含む複数の記憶領域から構成され、このうち一方のフレームバッファの内容を装飾図柄表示装置（液晶表示装置）１１０で表示させている間に他方のフレームバッファに対してＶＤＰ４３１が描画を行う。
【００６７】
１フレームの表示期間はＴ１＝１／３０秒（約３３．３ｍｓ）であるものとし、ＶＤＰ４３１はその半分の１／６０秒ごとに第１副制御部４００のＣＰＵ４０４に対してＶｓｙｎｃ割り込み信号を送信する。この表示同期制御はＶＤＰ４３１の内蔵タイマーによって制御される。
【００６８】
また、第１副制御部４００は、装飾図柄表示装置１１０の表示領域の一部、ないし全部を遮蔽したり、露出させたりする演出用の各種役物を駆動するステッピングモータやソレノイドなどのシャッタデバイス４２４を駆動するモータ制御回路４２６を有する。シャッタデバイス４２４のシャッタの現在位置などの情報はセンサ出力検出回路４３０を介して検出する。
【００６９】
また、基本回路４０２は、スピーカ４１６（および不図示のアンプ）の制御を行うための音源ＩＣ４１８と接続されるとともに、チャンスボタン１４６の操作を検出し、演出制御中、チャンスボタン１４６の操作に応じてチャンスボタン用ランプ１４６ａの点灯／消灯（あるいは点滅など）を制御するとともに、必要であれば装飾図柄表示装置（液晶表示装置）１１０の表示を変更する制御も行う。
【００７０】
また、第１副制御部４００には、電源が投入されると起動信号（リセット信号）を出力する、図示しない起動信号出力回路（リセット信号出力回路）を設けており、ＣＰＵ４０４は、この起動信号出力回路から起動信号を入力した場合に、演出制御を開始する。
【００７１】
第２副制御部５００は、Ｐ−ＲＯＭ５０６に格納された制御プログラムや各種データに基づき第２副制御部５００の全体を制御する基本回路５０２を備えており、この基本回路５０２には、ＣＰＵ５０４と、一時的にデータを記憶するためのＲＡＭ５０８と、各種デバイスの入出力を制御するためのＩ／Ｏ５１０と、時間や回数などを計測するためのカウンタタイマ５１２を搭載している。この基本回路５０２のＣＰＵ５０４は、水晶発信器５１４が出力する所定周期のクロック信号をシステムクロックとして入力して動作する。
【００７２】
また、第２副制御部５００は、演出用の各種役物を駆動するステッピングモータやソレノイドなどの各種演出用駆動装置５２４を駆動する演出用駆動装置制御回路５２６を有する。
【００７３】
さらに、第２副制御部５００には、シリアル通信制御回路５３０を設けており、このシリアル通信制御回路５３０は、それぞれシリアル通信駆動回路５４１、５７１を内蔵する遊技盤用ランプ基板５４０、および遊技台枠用ランプ基板５７０と通信し、これにより、主に遊技台枠側に設けられる各種ランプ５６１、主に遊技盤側に設けられる各種ランプ５６２の点灯／消灯（点滅）を制御することができる。
【００７４】
第１副制御部４００および第２副制御部５００の動作に必要な電源電圧は電源管理部６５０を介して供給される。
【００７５】
＜装飾図柄表示装置廻りの回路実装＞
次に、図６〜図１３を参照して上記のパチンコ機１００の装飾図柄表示装置１１０周辺の回路実装構造、特に、装飾図柄表示装置１１０の表示制御を行う副制御部（第１副制御部４００）と装飾図柄表示装置１１０を含む表示ユニットを接続するフレキシブルケーブル８０２の実装構造について詳細に説明する。
【００７６】
図６（ａ）は主基板を塔載した表示ユニットカバー８０１の背面図、図６（ｂ）は図６（ａ）のＢ−Ｂ線に沿った断面矢視図、図６（ｃ）は主基板１６４（４００）を取り外した状態における表示ユニットカバー８０１の斜視図である。
【００７７】
表示ユニットカバー８０１は、樹脂などの例えば一体成型により図６（ａ）、（ｂ）、（ｃ）に示すような箱型に構成され、背面に第１副制御部４００を実装した主基板１６４と、第２副制御部５００を実装したサブ基板１６４ａを塔載する。
【００７８】
図６（ａ）〜（ｃ）では、サブ基板１６４ａは取り外されており、また、図６（ｃ）では主基板１６４も取り外されている。主基板１６４、およびサブ基板１６４ａは、例えば表示ユニットカバー８０１に設けた爪などで係止され、表示ユニットカバー８０１に固定される（もちろんネジ止めなどの手法で固定されていてもよい）。なお、本実施例では、主基板１６４は樹脂などから成るケース８０３に収容された上、ケース８０３を介して表示ユニットカバー８０１に固定される（サブ基板１６４ａも同様）。
【００７９】
表示ユニットカバー８０１内部には、図６（ｂ）に示すように表示ユニット９０１（図７および図８）を収容する。表示ユニット９０１は装飾図柄表示装置１１０と、その駆動に必要な駆動回路（例えば上記のスケーラおよびトランスミッタなど）を含む。
【００８０】
サブ基板１６４（４００）と、表示ユニット９０１の基板（９０２：後述）のコネクタ（９０４：後述）はフレキシブルケーブル８０２によって接続する。
【００８１】
フレキシブルケーブル８０２は、図６（ｂ）に示すように主基板１６４（４００）のケース８０３から露出したコネクタ８０４と接続され、そこから図中左方（図６（ａ）や図２の下方）に向かい、表示ユニット９０１のカバー部材８０６に一体形成されたフレキシブルケーブル方向設定部８０７の間を抜け、さらにほぼ９０度折り疊まれて方向を変えられ、さらにカバー部材８０６に一体形成された後述の挿抜補助部（８０６０）の開口部（８０６２）を介して表示ユニット９０１のカバー部材８０６内部に入り、表示ユニット９０１の基板（９０２）のコネクタ（９０４）と接続される。
【００８２】
フレキシブルケーブル方向設定部８０７は、図６（ｂ）、（ｃ）に示すように逆Ｖ字型のクリップ状で上部および下部に開口部８０７ａ（図６（ｂ））を有し、図６（ｂ）に示すように図中下方へのフレキシブルケーブル８０２の敷設方向を決定するものである。
【００８３】
図７および図８は、表示ユニットカバー８０１の内部に収容された表示ユニット９０１の構成を示している。図７（ａ）および図８（ａ）は表示ユニット９０１の背面図、図７（ｂ）および図８（ｂ）は表示ユニット９０１背面の斜視図で、これらのうち図７（ａ）、（ｂ）は表示ユニット９０１のカバー部材８０６を装着した状態を、図８（ａ）、（ｂ）は表示ユニット９０１のカバー部材８０６を取り外した状態をそれぞれ示している。
【００８４】
図８に示すように、表示ユニット９０１は、遊技の進行に応じて動作する遊技装置として装飾図柄表示装置（液晶表示装置）１１０、その周囲に組み付けたシャッタデバイス９０５（図５のシャッタデバイス４２４に相当）、さらに装飾図柄表示装置１１０の駆動に必要な駆動回路（例えば上記のスケーラおよびトランスミッタなど）を実装した基板９０２などを含み、本実施例の表示ユニット９０１では、これら前記遊技装置としての装飾図柄表示装置（液晶表示装置）１１０、シャッタデバイス９０５、基板９０２などの少なくとも一部が図７に示すようにカバー部材８０６で覆われる。このカバー部材８０６にはフレキシブルケーブル８０２の挿抜を補助する後述の挿抜補助部８０６０が一体形成（あるいは別部材を接着する構成としても可）される。
【００８５】
後述の挿抜補助部８０６０をカバー部材８０６一部として構成することにより、装飾図柄表示装置（液晶表示装置）１１０やシャッタデバイス９０５などの遊技装置を保護したままフレキシブルケーブル８０２を挿抜することができる。
【００８６】
シャッタデバイス９０５の左右上部には扉（図３の左右扉２５０ａ、２５０ｂに相当）を開閉駆動するための駆動用モータ９０６、９０７が配設されている。
【００８７】
装飾図柄表示装置（液晶表示装置）１１０の背面には装飾図柄表示装置１１０の駆動に必要な駆動回路（例えば上記のスケーラおよびトランスミッタなど）を実装した基板９０２を配設し、この基板９０２のコネクタ９０４に上述のフレキシブルケーブル８０２が接続される。コネクタ９０４は、フレキシブルケーブル８０２の電極部分を挿抜可能なケーブル挿入部を有し、この挿入部を介してフレキシブルケーブル８０２の電極部分と基板９０２の回路が電気的に接続される。
【００８８】
フレキシブルケーブル８０２の敷設経路は、図７に示すように表示ユニット９０１の背面側を覆うよう装着されたカバー部材８０６によってガイドされ、また、パチンコ機１００の組み立て時やメンテナンス時にはカバー部材８０６に設けた挿抜補助部８０６０によって、作業者のフレキシブルケーブル８０２の挿抜操作が補助される。
【００８９】
図８は、表示ユニット９０１からカバー部材８０６を取り外した状態を示しているが、この図ではフレキシブルケーブル８０２の姿勢は、カバー部材８０６によってガイドされた姿勢をそのまま示している。
【００９０】
本実施例では、実際には、図８のようにカバー部材８０６を装着する前に表示ユニット９０１の基板９０２にフレキシブルケーブル８０２を接続する必要はなく、図７のようにカバー部材８０６を装着してから表示ユニット９０１の基板９０２への接続を行えるようカバー部材８０６を構成してある。
【００９１】
ここで、図９、および図１０を参照してカバー部材８０６の構造をより詳細に説明する。
【００９２】
図９（ａ）、（ｂ）はカバー部材８０６の外側（図７（ａ）、（ｂ）で見えている側）の正面図、および斜視図である。図１０（ａ）、（ｂ）はカバー部材８０６の内側の正面図、および斜視図である。カバー部材８０６は樹脂などの一体形成により構成され、たとえば爪などの嵌合構造を介して表示ユニット９０１（あるいはシャッタデバイス９０５）のフレーム部分と結合される。
【００９３】
図示の例では、カバー部材８０６には図９左方（図１０右方）に装飾図柄表示装置１１０背面の突起部を収容するための他の背面部分より突出した収容部８０６ａが設けられるとともに、上部にはシャッタデバイス９０５のプーリやベルトを収容する収容部８０６ｂが設けられる他、内側に適宜、補強用のリブなどを一体形成した箱型の外形である。
【００９４】
カバー部材８０６の背面側から見て、図９左側（図１０右側）の収容部８０６ａの近傍には上述のフレキシブルケーブル方向設定部８０７が立設されている。フレキシブルケーブル方向設定部８０７が上記のように逆Ｖ字型で裾広がりの形状で、さらに、上方から見た場合には図９（ａ）に示すように右方（配置によっては左方も可）が開いたＵ字型断面を有するようカバー部材８０６に一体形成されており、これにより、たとえば主基板に接続するために必要な長さをフレキシブルケーブル方向設定部８０７の外側に残し、フレキシブルケーブル８０２を右側から差し込み、フレキシブルケーブル方向設定部８０７に挟持させることができる。
【００９５】
なお、フレキシブルケーブル方向設定部８０７は、後述の図１２、図１３でより詳細に説明する挿抜補助部８０６０の他端部８０６０２の近傍に設けられ、フレキシブルケーブル８０２の延設（敷設）方向を表示ユニット９０１の基板９０２と垂直な方向に設定するものであって、このようなフレキシブルケーブル方向設定部８０７を設けることによりフレキシブルケーブル９０２を基板９０２のコネクタ９０４に挿抜する操作が容易となる。すなわち、フレキシブルケーブル方向設定部８０７により、フレキシブルケーブル８０２の延設方向を、挿抜補助部８０６０の他端部８０６０２へと向かうよう、表示ユニット９０１の基板９０２と垂直な方向に設定することにより、挿抜補助部８０６０を用いたフレキシブルケーブル８０２の作業者の挿抜操作がより容易になる。
【００９６】
図７、図８に示すように、フレキシブルケーブル方向設定部８０７下部の開口部分から出ているフレキシブルケーブル８０２は、まず下方に９０度折り曲げられ、続いて９０度および４５度の組合せで折り疊むことにより右方へと方向が変えられる。この作業は、フレキシブルケーブル方向設定部８０７にフレキシブルケーブル８０２を装着する前に行っておいてもよいが、下記の挿抜補助部８０６０を経由して表示ユニット９０１の基板９０２のコネクタ９０４への装着を行うから、フレキシブルケーブル方向設定部８０７にフレキシブルケーブル８０２を装着してから、実際の挿抜補助部８０６０の位置に合せて折り疊みなどの作業を行うこともできる。
【００９７】
その挿抜補助部８０６０は、カバー部材８０６のフレキシブルケーブル方向設定部８０７に一体形成する。挿抜補助部８０６０は、図９（ｂ）、図１０（ｂ）、あるいは図７（ｂ）に示されるように、カバー部材８０６の外側から内側に向かって傾斜して降りていく斜面８０６１と、その側方の側壁部８０６３、および斜面８０６１の底部に設けられた開口部８０６２（カバー部材８０６の開口部として形成される）から成る。
【００９８】
挿抜補助部８０６０の形成位置は、後述するように基板９０２のコネクタ９０４が挿抜補助部８０６０の開口部８０６２から露出し、かつ、斜面８０６１に沿ってフレキシブルケーブル８０２の先端部を送り込むと、該先端部が斜面８０６１両側の側壁部８０６３にガイドされてコネクタ９０４の位置に到達できるような位置としてある。
【００９９】
特に、図１１（ａ）は図７（ａ）のＡ−Ａ線に沿った断面矢視図、図１１（ｂ）は図１１（ａ）の要部を拡大した断面図であるが、図１１に示すように挿抜補助部８０６０の一端部８０６０３から他端部８０６０２までが上記の斜面８０６１となっており、他端部８０６０２はカバー部材８０６と連続的、一体的に形成され、フレキシブルケーブル８０２を延設（敷設）するカバー部材８０６の延設部８０６０１と連続している。そして、挿抜補助部８０６０の一端部８０６０３は、コネクタ９０２のケーブル挿入部がほぼ等しい面上に位置するよう一端部８０６０３から他端部８０６０２までの間の斜面８０６１の形状を決定してある。
【０１００】
また、図１１に示すように、カバー部材８０６にはフレキシブルケーブル８０２を通すための挿抜補助部８０６０の開口部８０６２が穿孔されており、挿抜補助部８０６０の一端部８０６０３はこの開口部８０６２に面して設けられることになる。つまり、挿抜補助部８０６０の挿抜補助機能を果す一端部８０６０３が遊技装置、特に基板９０２を覆うカバー部材８０６の透孔として設けられる開口部８０６２に面しているので、フレキシブルケーブル８０２と接続するコネクタ９０４が遊技装置の内側にあってもフレキシブルケーブル８０２を案内することができる。
【０１０１】
さらに、基板９０２のコネクタ９０４はフレキシブルケーブル８０２を挿入するためのケーブル挿入部を有し、コネクタ９０４（ないし少なくともこのケーブル挿入部）を前記開口部８０６２からカバー部材８０６の外部に露出させるようにする。これにより、フレキシブルケーブル８０２の挿抜がし易くなり、メンテナンス性が向上する。
【０１０２】
特に、後述の図１２〜図１４で説明するようなケーブル挟持部９０４ａをコネクタ９０４に設ける場合は、少なくともこのコネクタ９０４のケーブル挟持部９０４ａカバー部材８０６の外部に露出させることにより、フレキシブルケーブル８０２の挿抜がし易くなり、メンテナンス性が向上する。ケーブル挟持部９０４ａは、ケーブルの装着、開放のために例えばコネクタ９０４本体に対して開閉したり着脱したりすることにより、フレキシブルケーブル８０２を挟む位置と挟まない位置とに変化可能な公知の部材である。
【０１０３】
また、挿抜補助部８０６０とコネクタ９０４とは僅かに離間するように挿抜補助部８０６０を構成しておく。特に、挿抜補助部８０６０の開口部８０６２に面した一端部８０６０３と、コネクタ９０４とがわずかに離間するよう構成しておくことにより、例えば挿抜補助部８０６０が成型上の誤差で変形しているような場合でも、カバー部材８０６を組み付ける際などにコネクタ９０４を挿抜補助部によって破損することがない。
【０１０４】
また、挿抜補助部８０６０は、図７、図９、および図１０に示したように、左右方向（側方）にフレキシブルケーブル８０２の配設方向を規制する側壁部８０６３を有する。この側壁部８０６３は、挿抜補助部８０６０は、その一端部８０６０３とと他端部８０６０２までのを結ぶ線（図１１における斜面８０６１にほぼ一致）と、ほぼ直交する側方へのフレキシブルケーブル８０２の動きを規制するものである。
【０１０５】
このような側壁部８０６３を設けておくことにより、フレキシブルケーブル８０２の挿抜操作時にフレキシブルケーブル８０２の横ずれを防止することができ、フレキシブルケーブル８０２の組み付け性やメンテナンス性がさらに向上する。さらに２つの側壁部８０６３の間の幅をフレキシブルケーブル８０２の幅よりわずかに広い程度の大きさとしておけば、２つの側壁部８０６３に沿ってフレキシブルケーブル８０２を押し込んだ時に、より正確にフレキシブルケーブル８０２端部の電極がコネクタ９０４の挿入部に到達できるよう案内することができる。
【０１０６】
また、本実施例においては、コネクタ９０４は、そのケーブル挿入部に対するフレキシブルケーブル８０２の挿入方向（上記挿抜補助部８０６０によって案内される挿入方向）が基板９０２とほぼ平行となるよう基板９０２に設けられている。このため、フレキシブルケーブル８０２をコネクタ９０４に挿入する様子を視認し易く、組み付け性が向上する利点がある。
【０１０７】
以上のように構成されたカバー部材８０６は、表示ユニット９０１の基板９０２、装飾図柄表示装置１１０、およびシャッタデバイス９０５廻りの配線や実装などが終了した後、表示ユニット９０１に対して図７のように装着する。
【０１０８】
この後、図２に示したようにさらに外側に表示ユニット８０１が被せられ、表示ユニット８０１の外側に塔載したサブ基板１６４と接続するためにフレキシブルケーブル８０２と、フレキシブルケーブル８０２を図７および図８に示すような姿勢で敷設し、表示ユニット９０１の基板９０２のコネクタ９０４を接続しておかなければならない。
【０１０９】
このためには、まず、カバー部材８０６を表示ユニット９０１に対して図７のように装着する前にフレキシブルケーブル方向設定部８０７にフレキシブルケーブル８０２を装着するか、あるいは表示ユニット９０１に対して図７のように装着する後、フレキシブルケーブル方向設定部８０７にフレキシブルケーブル８０２を装着する。このとき、図８に示すような姿勢でフレキシブルケーブル８０２を折り曲げてあってもよいし、また、フレキシブルケーブル方向設定部８０７にフレキシブルケーブル８０２を装着した後、各部の形状をガイドとして現物合せによってフレキシブルケーブル８０２の折り曲げを行ってもよい。
【０１１０】
この後、フレキシブルケーブル方向設定部８０７の下部から露出したフレキシブルケーブル８０２の先端を表示ユニット９０１の基板９０２のコネクタ９０４と接続するが、本実施例では挿抜補助部８０６０を設けてあるために、極めて容易かつ確実にフレキシブルケーブル８０２を基板９０２のコネクタ９０４と接続することができる。
【０１１１】
図１１（ａ）は図７（ａ）のＡ−Ａ線に沿った断面矢視図、図１１（ｂ）は図１１（ａ）の要部を拡大した断面図であるが、図示のようにフレキシブルケーブル方向設定部８０７の下部から露出したフレキシブルケーブル８０２の先端を斜面８０６１に沿って送り込むと、該先端部は斜面８０６１両側の側壁部８０６３にガイドされてコネクタ９０４の位置に到達し、容易にフレキシブルケーブル８０２の先端の電極と基板９０２のコネクタ９０４を接続することができる。
【０１１２】
また、フレキシブルケーブル８０２を挿抜する際、フレキシブルケーブル８０２を挿抜補助部８０６０に沿って移動できるため案内し易く、フレキシブルケーブル８０２の挿抜操作を極めて容易に行うことができる。フレキシブルケーブル８０２を挿抜する際には、フレキシブルケーブル８０２を上方から指で抑えて、挿抜補助部８０６０に沿ってコネクタ９０４の方向に近づくように、あるいは離れる方向に押したり引いたりすることで、フレキシブルケーブル８０２を破損させたりすることなく安全かつ確実にフレキシブルケーブル８０２を挿抜することができる。
【０１１３】
以上で説明した挿抜補助部８０６０の特徴は、上下方向および左右方向（側方）にフレキシブルケーブル８０２の配設方向を規制する斜面８０６１、側壁部８０６３および表示ユニット９０１の基板９０２のコネクタ９０４と接続するための開口部であるが、特に、挿抜補助部８０６０の、以上に斜面８０６１として形成した部位の形状は図１２、および図１３に示すように種々の任意の形状とすることができる。
【０１１４】
図１２（ａ）〜（ｄ）に模式断面図と示した構成例は、いずれも表示ユニット９０１の基板９０２のコネクタ９０４のケーブル挿抜方向が基板９０２とほぼ平行になるようにコネクタ９０４が基板９０２に装着されている場合の構成例を示している。
【０１１５】
なお、図１２、図１３あるいはさらに後述の実施例２の図１４に示したコネクタ９０４はコネクタ挟持部９０４ａを有している。コネクタ挟持部９０４ａは、たとえば爪による嵌合構造を介してコネクタ９０４の本体部分と結合し、これによってフレキシブルケーブル８０２の電極部を挟持してコネクタ９０４およびフレキシブルケーブル８０２の電極同士の導通を図るものである。
【０１１６】
図１２（ａ）はカバー部材８０６の挿抜補助部８０６０の一端部８０６０３から他端部８０６０２までが略直線な例を示している。挿抜補助部８０６０の他端部８０６０２は、カバー部材８０６の実質部分である延設部８０６０１と連続的に一体形成されている。
【０１１７】
図１２（ａ）の構成は、挿抜補助部８０６０の一端部８０６０３から他端部８０６０２までの斜面が直線状であるという点で図６〜図１１に示した構成とほぼ同様であるが、図１２（ａ）では挿抜補助部８０６０の一端部８０６０３の部分をコネクタ９０４の方向に向かって滑らかに円弧状に屈曲した形状に形成し、また、挿抜補助部８０６０の他端部８０６０２の部分を延設部８０６０１と滑らかに連続するよう円弧状に屈曲した形状に形成してある点に特徴がある。
【０１１８】
このように、カバー部材８０６の挿抜補助部８０６０の一端部８０６０３および他端部８０６０２の部分を円弧状に滑らかに屈曲した形状に形成することにより、すなわち、挿抜補助部８０６０の一端部８０６０３と他端部８０６０２を結ぶ線の一部が円弧状となるような形状とすることによって、フレキシブルケーブル８０２を挿抜する際、フレキシブルケーブル８０２を挿抜補助部８０６０に沿って移動でき、挿抜補助部８０６０の変曲点である一端部８０６０３と他端部８０６０２における抵抗が小さく、フレキシブルケーブル８０２の移動がスムーズになり、フレキシブルケーブル８０２の挿抜操作を極めて容易に行うことができる。
【０１１９】
図１２（ｂ）はカバー部材８０６の挿抜補助部８０６０の一端部８０６０３から他端部８０６０２までが基板側に略円弧状な構成、特に、挿抜補助部８０６０の他端部８０６０２は、基板９０２のコネクタ９０４が設けられた面よりも上方に位置し、挿抜補助部８０６０の一端部８０６０３と他端部８０６０２の間の面が挿抜補助部８０６０の一端部８０６０３と他端部８０６０２を結ぶ直線（図中の破線）よりも下側である構成例を示している。
【０１２０】
すなわち、図１２（ｂ）では挿抜補助部８０６０の一端部８０６０３と他端部８０６０２の間の部分を、挿抜補助部８０６０の一端部８０６０３と他端部８０６０２の間の面が挿抜補助部８０６０の一端部８０６０３と他端部８０６０２を結ぶ直線よりも下側を通るように、大きく円弧状に屈曲させてある。
【０１２１】
このようにカバー部材８０６の挿抜補助部８０６０の一端部８０６０３と他端部８０６０２の間の部分を大きく円弧状に屈曲させる構造によれば、フレキシブルケーブル８０２を挿抜する際、フレキシブルケーブル８０２を挿抜補助部８０６０に沿ってスムーズに移動でき、フレキシブルケーブル８０２を正確かつ確実に案内でき、挿抜操作を極めて容易に行うことができる。
【０１２２】
また、挿抜補助部８０６０を円弧状とする構成としては図１２（ｃ）のような構成も考えられる。図１２（ｃ）はカバー部材８０６の挿抜補助部８０６０の一端部８０６０３から他端部８０６０２までが基板と反対側に略円弧状である構成、特に、挿抜補助部８０６０の他端部８０６０２は、基板９０２のコネクタ９０４が設けられた面よりも上方に位置し、挿抜補助部８０６０の一端部８０６０３と他端部８０６０２の間の面が挿抜補助部８０６０の一端部８０６０３と他端部８０６０２を結ぶ直線よりも上側である構成例を示している。
【０１２３】
すなわち、図１２（ｃ）では挿抜補助部８０６０の一端部８０６０３と他端部８０６０２の間の部分を、挿抜補助部８０６０の一端部８０６０３と他端部８０６０２の間の面が挿抜補助部８０６０の一端部８０６０３と他端部８０６０２を結ぶ直線（図中の破線）よりも上側を通るように、大きく円弧状に屈曲させてある。
【０１２４】
このようにカバー部材８０６の挿抜補助部８０６０の一端部８０６０３と他端部８０６０２の間の部分を大きく円弧状に屈曲させる構造によれば、フレキシブルケーブル８０２を挿抜する際、フレキシブルケーブル８０２を挿抜補助部８０６０に沿ってスムーズに移動でき、フレキシブルケーブル８０２の挿抜操作を極めて容易に行うことができる。
【０１２５】
図１２（ｄ）は、カバー部材８０６の挿抜補助部８０６０の一端部８０６０３の延長方向にコネクタ９０４を配した構成例を示している。すなわち、図１２（ｄ）では、挿抜補助部８０６０の他端部８０６０２の構成は図１２（ａ）とほぼ同等であるが、挿抜補助部８０６０の他端部８０６０２から一端部８０６０３にかけての案内面が直線状で、一端部８０６０３の延長方向がコネクタ９０４の方向を向いている構成となっている。
【０１２６】
このようにカバー部材８０６の挿抜補助部８０６０の他端部８０６０２から一端部８０６０３にかけての案内面が直線状で、一端部８０６０３の延長方向がコネクタ９０４の方向を向いている構成においても、フレキシブルケーブル８０２を挿抜する際、フレキシブルケーブル８０２を挿抜補助部８０６０に沿ってスムーズに移動でき、挿抜補助部８０６０の一端部８０６０３の延長方向がコネクタ９０４の方向を向いているため、フレキシブルケーブル８０２の挿抜操作を極めて容易に行うことができる。
【０１２７】
図１３（ａ）および（ｂ）に模式断面図として示した構成例は、表示ユニット９０１の基板９０２のコネクタ９０４のケーブル挿抜方向が基板９０２とほぼ直交するようにコネクタ９０４が基板９０２に装着されている場合の構成例である。
【０１２８】
図１３（ａ）は、カバー部材８０６の挿抜補助部８０６０の一端部８０６０３の延長方向にコネクタを配し、フレキシブルケーブル８０２の挿抜方向が基板と直交する例を示している。図１３（ａ）の構成は図１２（ｄ）と同様に、挿抜補助部８０６０の他端部８０６０２から一端部８０６０３にかけての案内面が直線状で、一端部８０６０３の延長方向がコネクタ９０４の方向を向いている構成である。
【０１２９】
図１３（ａ）は、図１２（ｄ）とコネクタ９０４の挿抜方向が異なるだけで、このような構成においてもフレキシブルケーブル８０２を挿抜する際、フレキシブルケーブル８０２を挿抜補助部８０６０に沿ってスムーズに移動でき、挿抜補助部８０６０の一端部８０６０３の延長方向がコネクタ９０４の方向を向いているため、フレキシブルケーブル８０２の挿抜操作を極めて容易に行うことができる。
【０１３０】
図１３（ｂ）は表示ユニットの挿抜補助部の一端から他端までが基板と反対側に略円弧状でありそのコネクタの挿抜方向が基板と直交する例を示している。図１３（ｂ）の構成は図１２（ｃ）と同様に、挿抜補助部８０６０の他端部８０６０２は、基板９０２のコネクタ９０４が設けられた面よりも上方に位置し、挿抜補助部８０６０の一端部８０６０３と他端部８０６０２の間の面が挿抜補助部８０６０の一端部８０６０３と他端部８０６０２を結ぶ直線よりも上側となるよう構成してある。
【０１３１】
図１３（ｂ）の構成は、図１２（ｃ）とコネクタ９０４の挿抜方向が異なるだけで、このようにカバー部材８０６の挿抜補助部８０６０の一端部８０６０３と他端部８０６０２の間の部分を大きく円弧状に屈曲させる構造によれば、フレキシブルケーブル８０２を挿抜する際、フレキシブルケーブル８０２を挿抜補助部８０６０に沿ってスムーズに移動でき、フレキシブルケーブル８０２の挿抜操作を極めて容易に行うことができる。
【０１３２】
図１３（ｃ）に模式断面図として示した構成例は、カバー部材８０６の挿抜補助部８０６０の一端部８０６０３から他端部８０６０２までが基板９０２と反対側に略円弧状である異なる例を示している。図１３（ｂ）と図１３（ｃ）の違いは、表示ユニット９０１の基板９０２のコネクタ９０４のケーブル挿抜方向が基板９０２とほぼ平行になるようにコネクタ９０４が基板９０２に装着されており、したがって、挿抜補助部８０６０の一端部８０６０３は基板９０２のコネクタ９０４とほぼ同等の高さにあり、他端部８０６０２は基板９０２（コネクタ９０４）よりも低い位置にある。すなわち、図１３（ｃ）では、挿抜補助部８０６０の他端部８０６０２は、基板９０２のコネクタ９０４が設けられた面とほぼ同じ高さ位置し、挿抜補助部８０６０の一端部８０６０３と他端部８０６０２の間の面が挿抜補助部８０６０の一端部８０６０３と他端部８０６０２を結ぶ直線よりも上側となるよう構成してある。
【０１３３】
図１３（ｃ）の構成は、図１３（ｂ）とコネクタ９０４の挿抜方向が異なるだけで、このようにカバー部材８０６の挿抜補助部８０６０の一端部８０６０３と他端部８０６０２の間の部分を大きく円弧状に屈曲させる構造によれば、フレキシブルケーブル８０２を挿抜する際、フレキシブルケーブル８０２を挿抜補助部８０６０に沿ってスムーズに移動でき、フレキシブルケーブル８０２の挿抜操作を極めて容易に行うことができる。
【実施例２】
【０１３４】
実施形態１では、表示ユニット９０１のカバー部材８０６の挿抜補助部８０６０を設けた例を示したが、本実施例では、挿抜補助部８０６０のみを基板９０２のコネクタ９０４周辺に設ける場合の構成例を示す。本実施例では、例えば図１２（ａ）のように挿抜補助部の一端部と他端部をわずかに屈曲させ、その中間部が直線である例のみを示すが、実施例１の図１２（ｂ）〜（ｄ）、あるいは図１３（ａ）〜（ｃ）に示したような変形例を本実施例に適用してもよい。以下では、図示以外の構造は上記実施例１と同様であるものとし、また、図１４（ａ）、（ｂ）に上記実施例１と同一符号で示した部材のうち、殊更に説明しないものについてはその構造は上記実施例１と同様であるものとする。
【０１３５】
図１４（ａ）は挿抜補助部１００１がカバー部材８０６（不図示）とは異なる部材により構成された例を示した斜視図、（ｂ）は（ａ）の構成の模式断面図である。
【０１３６】
図１４（ａ）、（ｂ）に示すように、本実施例では挿抜補助部１００１がカバー部材８０６（不図示）とは異なる独立した部材により構成してある。
【０１３７】
挿抜補助部１００１は、カバー部材８０６とは別体であるために、基板取付部材１００３（たとえば装飾図柄表示装置１１０背面など）に立設した支柱状の挿抜補助部固定部材１００２、１００２…によって表示ユニット（９０１）の基板９０２の近傍に配置してある。
【０１３８】
図１４の挿抜補助部１００１は、樹脂などの一体形成により構成され、図１２（ａ）のようにその一端部１００１３と他端部１００１２の部分をわずかに滑らかな円弧状に屈曲させ、その中間部が直線形状となっている。挿抜補助部１００１の配置位置は、挿抜補助部１００１をフレキシブルケーブル８０２を案内する挿抜補助部１００１の実質部分（中央部）がコネクタ９０４の挿入部（コネクタ挟持部９０４ａ）の方向を向くように決めてある。挿抜補助部１００１の他端部１００１２は、延設部１００２となっており、延設部１００２は基板９０２と高さは異なるがほぼ平行であり、他の部材、たとえばフレキシブルケーブル８０２を敷設する挿抜補助部１００１とは別体のカバー部材と連接するような高さに配置される。
【０１３９】
図１４のような構成によれば、図示のように挿抜補助部１００１がカバー部材８０６とは別体の構成であっても、前述同様にフレキシブルケーブル８０２を挿抜する際、フレキシブルケーブル８０２を挿抜補助部１００１に沿って移動でき、また、挿抜補助部１００１の一端部１００１３および他端部１００１２の部位を円弧状に形成してあるため、挿抜補助部１００１の変曲点である一端部１００１３と他端部１００１２における抵抗が小さく、フレキシブルケーブル８０２の移動がスムーズになり、フレキシブルケーブル８０２を破損することなく、挿抜操作を極めて容易に行うことができる。また、本実施例によれば、挿抜補助部１００１の他端部１００１２から延設された基板９０２と平行な延設部１００２を備えており、他端部１００１２と延設部１００２とによって滑らかな面を構成するようにしており、フレキシブルケーブル８０２の挿抜時に、他端部１００１２によってフレキシブルケーブル８０２が破損してしまう可能性が極めて低い、という利点がある。
【０１４０】
なお、図１４では、挿抜補助部１００１がカバー部材８０６とは別体の構成であり、図７などに側壁部８０６３として示したフレキシブルケーブル８０２の側方への動きを規制する部位を特別示さなかったが、例えば挿抜補助部１００１の側縁に該側縁を上方に折曲させた形状の側壁部を立設する（一体形成や他の部材の接着などにより構成することができる）ことにより、上述の側壁部８０６３と同等のフレキシブルケーブル８０２の側方へのブレを規制する機能を追加することができる。
＜作用効果＞
以上に示した各実施例の構成をより抽象的にとらえ、その効果を要約して示すと次の通りとなる。上記実施例中の部材との対応は主にかっこ書きで示す。
【０１４１】
本発明では、遊技台の所定位置に取付けられる基板（９０２）と、基板（９０２）に設けられたコネクタ（９０４）と、コネクタに接続されるフレキシブルケーブル（８０２）と、フレキシブルケーブルを前記コネクタへ案内する挿抜補助部（８０６０）と、を備え、挿抜補助部は、コネクタ近傍の一端部（８０６０３、１００１３）が挿抜補助部の他端部よりも前記基板側に位置する形状を有する構成としている。このため、フレキシブルケーブルを挿抜補助部に沿って押し引きすることで容易にコネクタに対して挿抜でき、フレキシブルケーブルの（従って遊技台の）組み付け性やメンテナンス性が向上する。また、コネクタに接続したフレキシブルケーブルは挿抜補助部に沿っているため、挿抜補助部に沿っていない場合よりもフレキシブルケーブルの設置位置を安定させることができ、フレキシブルケーブルの移動による破損してしまう可能性を低減できることがある。
【０１４２】
また、コネクタ（９０４）はフレキシブルケーブル（８０２）を挿抜可能なケーブル挿入部を備え、挿抜補助部（８０６０）の一端部（８０６０３、１００１３）とコネクタの前記ケーブル挿入部とが略等しい面上に位置する、という構成を採用することにより、挿抜補助部に案内されたフレキシブルケーブルの端部がケーブル挿入部に導かれるので遊技台の組み付け性が向上することがある。
【０１４３】
また、遊技の進行に応じて動作する遊技装置（装飾図柄表示装置（液晶表示装置）１１０、シャッタデバイス９０５、基板９０２など）と、これら遊技装置の少なくとも一部を覆うカバー部材（８０６）を備え、このカバー部材が挿抜補助部（８０６０）を有する構成によれば、挿抜補助部がカバー部材の一部なので遊技装置を保護しつつフレキシブルケーブルを案内することができることがある。
【０１４４】
また、遊技装置に基板（９０４）が含まれ、かつカバー部材（８０６）はフレキシブルケーブル（８０２）を通すための開口部（８０６２）を有し、挿抜補助部（８０６０）の一端部（８０６０３、１００１３）が開口部（８０６２）に面して設けられる構成とすることにより、コネクタが遊技装置の内側にあってもフレキシブルケーブルを正確かつ確実に案内することができる。
【０１４５】
また、フレキシブルケーブル（８０２）を挟む位置と挟まない位置とに変化可能なケーブル挟持部（９０４ａ）をコネクタ（９０４）に備え、ケーブル挟持部（９０４ａ）が開口部（８０６２）からカバー部材（８０６）の外部に露出している構成を用いることにより、フレキシブルケーブルの挿抜がし易く遊技台の組み付け性がさらに向上することがある。
【０１４６】
また、挿抜補助部（８０６０）とコネクタ（９０４）とが僅かに離間している構成を採用することにより、挿抜補助部が成型上の誤差で変形してもカバー部材を組み付ける際などにコネクタを挿抜補助部によって破損するのを防止できることがある。
【０１４７】
また、挿抜補助部（８０６０）が、その一端部（８０６０３、１００１３）と他端部（８０６０２、１００１２）を結ぶ線とほぼ直交する側方へのフレキシブルケーブル（８０２）の動きを規制する側壁部（８０６３）を有する構成を採用することにより、フレキシブルケーブル８０２の挿抜操作時にフレキシブルケーブル８０２の横ずれを防止することができ、遊技台の組み付け性やメンテナンス性をさらに向上できることがある。
【０１４８】
また、コネクタ（９０４）を、そのケーブル挿入部に対するフレキシブルケーブル（８０２）の挿入方向（挿抜補助部（８０６０）によって案内される挿入方向）が基板（９０２）とほぼ平行となるよう基板に設ける構成を採用することにより、フレキシブルケーブルをコネクタに挿入する様子が視認し易くなり、遊技台の組み付け性をより向上できることがある。
【０１４９】
また、挿抜補助部（８０６０）の一端部（８０６０３、１００１３）と他端部（８０６０２、１００１２）の間の面がほぼ円弧状である構成を採用することにより、フレキシブルケーブル挿抜時にフレキシブルケーブルが円弧状の挿抜補助部に沿って移動できるため、遊技台の組み付け性やメンテナンス性を向上できることがある。
【０１５０】
さらに、挿抜補助部（８０６０）の他端部（８０６０２、１００１２）は、基板（９０２）のコネクタ（９０４）が設けられた面よりも上方に位置し、挿抜補助部（８０６０）の一端部と他端部の間の面が挿抜補助部の一端部と他端部を結ぶ直線よりも下側に位置する構成を採用することにより、挿抜補助部が下方向に円弧状であるため、抵抗が小さく、フレキシブルケーブル８０２の移動がスムーズになり、フレキシブルケーブル８０２を破損することなく、挿抜操作を極めて容易に行うことができ、遊技台の組み付け性やメンテナンス性を向上できることがある。
【産業上の利用可能性】
【０１５１】
以上では、遊技台の実施例としてパチンコ機を例示したが、その他にもスロット機、カジノマシンやアーケードゲーム機などの種々の遊技台、特に遊技装置どうしの接続にフレキシブルケーブルを用いるあらゆる遊技台に本発明を実施できるのはいうまでもない。
【図面の簡単な説明】
【０１５２】
【図１】本発明を採用した遊技台の構成を示した斜視図である。
【図２】本発明を採用した遊技台の構成を示した背面図である。
【図３】本発明を採用した遊技台の遊技盤の構成を示した正面図である。
【図４】本発明を採用した遊技台の主制御部の構成を示したブロック図である。
【図５】本発明を採用した遊技台の副制御部の構成を示したブロック図である。
【図６】本発明を採用した遊技台の表示ユニットカバーの構成を示すもので、（ａ）は主基板を塔載した表示ユニットカバーの背面図、（ｂ）は（ａ）のＢ−Ｂ線に沿った断面矢視図、（ｃ）は主基板を取り外した状態における表示ユニットカバーの斜視図である。
【図７】本発明を採用した遊技台の表示ユニットの構成を示すもので、（ａ）は表示ユニットの背面図、（ｂ）は表示ユニット背面の斜視図である。
【図８】本発明を採用した遊技台の表示ユニットの構成を示すもので、（ａ）は上方からの背面斜視図、（ｂ）は下方からの背面斜視図である。
【図９】本発明を採用した遊技台の表示ユニットのカバー部材の外側の構成を示すもので、（ａ）はカバー部材外側の正面図、（ｂ）はカバー部材外側の斜視図である。
【図１０】本発明を採用した遊技台の表示ユニットのカバー部材の内側の構成を示すもので、（ａ）はカバー部材内側の正面図、（ｂ）はカバー部材内側の斜視図である。
【図１１】本発明を採用した遊技台の表示ユニットの構成を示すもので、（ａ）は図７のＡ−Ａ線に沿った断面矢視図、（ｂ）は（ａ）の要部の拡大断面図である。
【図１２】本発明を採用した遊技台の表示ユニットの種々の異なる構成を示したもので、（ａ）はカバー部材の挿抜補助部の一端から他端までが略直線な例を示した模式断面図、（ｂ）はカバー部材の挿抜補助部の一端から他端までが基板側に略円弧状な例を示した模式断面図、（ｃ）はカバー部材の挿抜補助部の一端から他端までが基板と反対側に略円弧状な例を示した模式断面図、（ｄ）はカバー部材の挿抜補助部の一端部の延長方向にコネクタを配した例を示した模式断面図である。
【図１３】本発明を採用した遊技台の表示ユニットの異なる構成を示したもので、（ａ）は表示ユニットの挿抜補助部の一端部の延長方向にコネクタを配し、その挿抜方向が基板と直交する例を示した模式断面図、（ｂ）は表示ユニットの挿抜補助部の一端から他端までが基板と反対側に略円弧状でありそのコネクタの挿抜方向が基板と直交する例を示した模式断面図、（ｃ）は表示ユニットの挿抜補助部の一端から他端までが基板と反対側に略円弧状な異なる例を示した模式断面図である。
【図１４】本発明を採用した遊技台の表示ユニットの異なる構成を示したもので、（ａ）は挿抜補助部がカバー部材とは異なる部材により構成された例を示した斜視図、（ｂ）は（ａ）の構成の模式断面図である。
【符号の説明】
【０１５３】
１００  パチンコ機
１０２  遊技盤（盤面）
１０４  遊技領域
１０６  外レール
１０８  内レール
１１０  装飾図柄表示装置
１１２  普通図柄表示装置
１１４  特別図柄表示装置
１１６  普通図柄保留ランプ
１１８  特別図柄保留ランプ
１２０  高確中ランプ
１２２  一般入賞口
１２４  普図始動口
１３０  可変入賞口
１３２  打球方向変換部材
１３４  遊技釘
１３６  アウト口
１３８  発射杆
１４０  発射槌
１４２  発射レール
１４４  貯留皿
１４６  チャンスボタン
１５０  下皿
１５１  ガラス枠
１５２  透明板部材
１５４  払出装置
１５６  扉部材
１５７  スプロケット
１５８  払出センサ
１６１  主基板
１６２  電源基板
１６３  ＣＲインターフェース部
１６４  サブ基板
１６５  払出基板
１６６  発射基板
２００  演出装置
２３０  ワープ装置
２３４  前面ステージ
２３６  入球口
２３８  排出口
２５０  遮蔽手段
３００  主制御部
３０２  基本回路
３０４  ＣＰＵ
３０６  ＲＯＭ
３０８  ＲＡＭ
３１０  Ｉ／Ｏ
３１２  カウンタタイマ
３１４ｂ  水晶発信器
３１６  カウンタ回路
３１８  各種センサ
３２０  センサ回路
３２２、３２４  表示回路
３２６  各種状態表示部
３２８  表示回路
３３０  各種ソレノイド
３３２  ソレノイド回路
３３４  情報出力回路
３３６  電圧監視回路
３３８  起動信号出力回路（リセット信号出力回路）
４００  第１副制御部
４０２  基本回路
４０４  ＣＰＵ
４０６  Ｐ−ＲＯＭ
４０７  球貸し操作部
４０８  ＲＡＭ
４１０  Ｉ／Ｏ
４１２  カウンタタイマ
４１４  水晶発信器
４１６  スピーカ
４１８  音源ＩＣ
４２４  シャッタデバイス
４２６  モータ制御回路
４３１  ＶＤＰ
４３３  ＶＲＡＭ
５００  第２副制御部
５０２  基本回路
５０４  ＣＰＵ
５０６  Ｐ−ＲＯＭ
５０８  ＲＡＭ
５１０  Ｉ／Ｏ
５１２  カウンタタイマ
５１４  水晶発信器
５２４  各種演出用駆動装置
５２６  演出用駆動装置制御回路
５３０  シリアル通信制御回路
５４０  遊技盤用ランプ基板
５４１、５７１  シリアル通信駆動回路
５５０  払出制御部
５５６  ＣＲインターフェース部
５６１  各種ランプ
５６２  各種ランプ
５７０  遊技台枠用ランプ基板
６００  発射制御部
６０２  発射モータ
６０４  球送り装置
６５０  電源管理部
６５２  情報入力回路
６５４  カードユニット
７０２  基本回路
７０４  ＣＰＵ
７０６  ＲＯＭ
７０８  ＲＡＭ
７１０  Ｉ／Ｏ
７１２  カウンタタイマ
７１４  水晶発信器
７２２  表示回路
７２４  モータ制御回路
７２６  電圧監視回路
７２８  各種センサ
７３０  各種ランプ
８０１  表示ユニットカバー
８０２  フレキシブルケーブル
８０４  コネクタ
８０６  カバー部材
９０１  表示ユニット
９０２  基板
９０４  コネクタ
９０５  デバイス
９０６、９０７  駆動用モータ
１００１  挿抜補助部
１００２  挿抜補助部固定部材
１００３  基板取付部材
８０６０  挿抜補助部
８０６１  斜面
８０６２  開口部
８０６３  側壁部
８０６０１、１００２  延設部
８０６０２、１００１３  他端部
８０６０３、１００１２  一端部
【図１】
2010104474.tif 000003
【図２】
2010104474.tif 000004
【図３】
2010104474.tif 000005
【図４】
2010104474.tif 000006
【図５】
2010104474.tif 000007
【図６】
2010104474.tif 000008
【図７】
2010104474.tif 000009
【図８】
2010104474.tif 000010
【図９】
2010104474.tif 000011
【図１０】
2010104474.tif 000012
【図１１】
2010104474.tif 000013
【図１２】
2010104474.tif 000014
【図１３】
2010104474.tif 000015
【図１４】
2010104474.tif 000016